(57)【特許請求の範囲】
【請求項１】
穀粒を循環しながら熱風を浴びせて乾燥する型穀粒乾燥機の排風部と、平型乾燥機の通風導入部とを接続する構成の汎用型乾燥装置において、平型乾燥機の排風を循環型乾燥機の通気部に還元すべく構成してなる汎用型乾燥装置。
【請求項２】
穀粒を循環しながら熱風を浴びせて乾燥する循環型穀粒乾燥機の排風部と、平型乾燥機の通風導入部とを接続する構成の汎用型乾燥装置において、循環型乾燥機の操作盤に設ける被乾燥物設定手段に平型乾燥機で処理する被乾燥物設定部を設け、該設定部を選択操作されたときには、循環型乾燥機の乾燥に必要な選択設定を受け付けない構成とした汎用型乾燥装置。
【請求項３】
平型乾燥機の被乾燥物を黒大豆とする請求項１又は２に記載の汎用型乾燥装置。
【発明の詳細な説明】
【０００１】
【発明の属する技術分野】
この発明は、循環型穀粒乾燥機の熱風発生装置を利用すべく接続する平型乾燥機形態の汎用乾燥装置に関し、平型乾燥機における被乾燥物の乾燥むらを少なくしようとし、併せて操作の簡単化をはかる。
【０００２】
【従来の技術及び発明が解決しようとする課題】
従来、循環型穀粒乾燥装置を利用した平型乾燥機形態の汎用乾燥装置としては、特開平１１−２８７５５５号公報や実開平１−１５３４９２号公報に開示がある。いずれも循環型乾燥機本体側の吸引排風機と米麦以外の穀物，煙草，野菜等を乾燥する平型乾燥機とを接続し、循環型穀粒乾燥機の発生する熱風を利用し平型乾燥機導入のコスト低減をはかるものである。
【０００３】
ところが、平型乾燥機の乾燥棚に載置される被乾燥物は静置状態にあるから、流動する熱風に偏りがあると局部的に乾燥が進む部分と乾燥が遅れる部分とに区分され易く、このため均一な熱風流動構造を採用しなければならない欠点がある。
【０００４】
【課題を解決するための手段】
この発明は、上記に鑑み、併せて操作の簡単化をはかり、次の技術的手段を講じた。
即ち、請求項１に記載の発明は、穀粒を循環しながら熱風を浴びせて乾燥する循環型乾燥機１の排風部と、平型乾燥機３５の通風導入部とを接続する構成の汎用型乾燥装置において、平型乾燥機の排風を循環型乾燥機の通気部に還元すべく構成してなる。
【０００５】
請求項２に記載の発明は、穀粒を循環しながら熱風を浴びせて乾燥する循環型穀粒乾燥機の排風部と、平型乾燥機の通風導入部とを接続する構成の汎用型乾燥装置において、循環型乾燥機の操作盤に設ける被乾燥物設定手段に平型乾燥機で処理する被乾燥物設定部を設け、該設定部を選択操作されたときには、循環型乾燥機の乾燥に必要な選択設定を受け付けない構成とする。
【０００６】
なお、平型乾燥機への被乾燥物としては例えば黒大豆がある。
【０００７】
【発明の作用効果】
請求項１に記載の発明では、平型乾燥機の上部空間の排風を循環型乾燥機の排風室１０に還元する構成であるから、湿度の高められた排風が新規の熱風と混合しながら改めて平型乾燥機３５内に導入される。従って、従来では、熱風が作用する部分のみ乾燥が進み、乾燥状態を均一に仕上げることが困難であったが、上記のように構成することにより湿度を高められ、高温，高湿度の空気を供給することができるから、高湿度で除水力を抑制しつつ穀温を上げて内部水分移動を促進し、もって水分バラツキの少ない乾燥状態に仕上げることができる。
【０００８】
また、請求項２に記載の発明では、平型乾燥機で処理すべき被乾燥物設定部を選択操作されたときには、熱風発生元となる循環型乾燥機の乾燥に必要な選択設定を受け付けないものであるから、誤って操作をしても不測に起動状態とならず操作を容易化し、かつ安全を確保できる。
【０００９】
【発明の実施の形態】
この発明の一実施例を図面に基づき説明する。
１は穀粒乾燥機で、機枠内には上部から貯留タンク２、乾燥室３、集穀室４を縦設し、外部に設ける昇降機５の駆動によって穀物を循環させながら、乾燥室３部でバーナ６燃焼と吸引ファン７とにより発生する熱風を浴びせて乾燥する公知の形態であり、バーナ熱風は熱風室８から穀粒通路９を経て排風室１０に至り、左右排風室１０，１０を連通する排風風胴１１から吸引ファン７をもって機外に排出される。
【００１０】
１２は繰出バルブ、１３は上記昇降機５に通じる下部移送螺旋、１４は昇降機５上部側に接続する上部移送螺旋で、貯留タンク２上部の拡散盤１５に穀物供給できる。
バーナ６や穀粒循環機構等は、乾燥制御に必要な制御プログラムや各種データ等を記憶するメモリを備えるコンピュータによって行われる。即ち、操作盤１６には、各種の操作部を備え、被乾燥物設定手段となし、具体的には、張込・乾燥・排出・停止の各作業モードを選択するためのスイッチ１７，１８，１９，２０を配設するとともに、穀物種類の設定に対応し乾燥速度の遅い・速いを決める乾燥設定スイッチ２１、設定水分スイッチ２２、張込量設定スイッチ２３、及びタイマ時間の増・減スイッチ２４，２５を配設する。２６は非常時に全部を停止させる緊急停止スイッチである。なお、乾燥設定スイッチ２１，設定水分スイッチ２２，張込量設定スイッチ２３は一回押す毎にあらかじめ決められた数値乃至はモードに従って順に移動（例えば右側）するもので、設定状態がいずれの位置にあるかは、横一列に並んだＬＥＤが点灯して表示するものである。
【００１１】
図６は制御ブロック図を示し、上記操作盤１６を有するコントロールボックスに内蔵するコンピュータの演算制御部２８には上記スイッチ類からの設定情報のほか、水分計２９検出情報、昇降機５の投げ出し部に設ける穀粒流れ検出器３０の情報、熱風温度検出器３１及び排風温度検出器３２の温度情報等が入力される。一方出力情報としては、バーナ６の燃焼系信号、例えば燃料供給信号、その流量制御信号、あるいは上下移送螺旋１３，１４、昇降機５、繰出バルブ１２等の穀物循環系モータ制御信号、吸引ファンモータ制御信号、表示部３３への水分表示、熱風温度，排風温度の表示出力、等がある。
【００１２】
上記乾燥設定スイッチ２１の表示には「籾」「大麦」「小麦」等、穀物種類が明記されるものとし、本実施例ではこれらに加え、平型乾燥機で処理する被乾燥物設定部としての「黒大豆」の表示がある。この「黒大豆」を選択設定するときには、制御部２８は以下の機能及び制御を行う。即ち、モード選択スイッチ１７〜２０のうち、穀物張込・排出の各作業モードを受け付けないものとし、これらが選択設定された場合には、「スイッチ受付け異常」をブザー等で警報する構成とする。又、黒大豆乾燥にあたっては、設定水分の表示は不要であるから、設定水分表示のＬＥＤは全消灯状態となすことにより、目障りな表示を極力少なくして誤操作の防止をはかる。
【００１３】
３５は、箱型を呈し、内部を目抜き網３６で上下空間に仕切られた構成の平型乾燥機であり、このうち、下部側空間３７には、上記吸引ファン７の排風ダクト３８を接続している。このため、吸引ファン７からの排風が圧風状態で下部空間３７に至りさらに分散して上部空間３９を吹き上がる構成である。上記目抜き網３６の上面には被乾燥物、例えば黒大豆を枝毎束ねて縦姿勢に載置することができる。
【００１４】
上記平型乾燥機３５の上面はメッシュネット４０で覆う構成とし、図例では数本の円弧状ネット受け用骨材４１，４１…を機枠上面に配設して、該ネット３５を張設支持させている。４２，４２はレールで、上記骨材４１，４１を左右移動自在に支持するものとし、張設作業の容易化をはかるものである。
【００１５】
前記平型乾燥機３５の天井部には還元ダクト４３の一端がのぞむよう固定し、該ダクト４３の他端は循環型乾燥機１の排風室１０にのぞむよう固定している。この構成によって、平型乾燥機３５の上部空間においても吸引ファン７の吸引作用が働き、一部メッシュネット４０を通じて外部に開放される排気以外は循環型乾燥機１側に還元され、改めて平型乾燥機３５に供給しうる構成である。
【００１６】
上例の作用について説明する。
平型乾燥機３５に黒大豆の束を立てて載置する。平型乾燥機３５の準備作業が整うと、循環型乾燥機１の操作盤１６の乾燥設定スイッチ２１を操作して「黒大豆」を選択設定する。次いで乾燥スイッチ１８をオンすると、バーナ６は燃焼し、熱風は空の循環型乾燥機１内を通過して排風ダクト３８を通じて平型乾燥機３５の下部空間３７に入り、ここから上向きに熱風が上昇する。この上昇過程で黒大豆に作用し、これを乾燥するものである。ところで、上記実施例では排風温度検出器３２を配設して、あらかじめ設定した温度となるようバーナ６への燃料供給量が制御されている。この温度の設定は、「黒大豆」選択と共に張込量設定が排風温度設定に切り換えられて、張込量設定スイッチ２３の操作によって上下に設定される。
【００１７】
平型乾燥機３５の下部空間から上昇する熱風は、立ち姿勢の黒大豆束に作用してこれを乾燥することができる。
上記実施例では、還元ダクト４３を配設して上部空間の排風を循環型乾燥機の排風室１０に還元する構成であるから、湿度の高められた排風が新規の熱風と混合しながら改めて平型乾燥機３５内に導入される。従って、従来では、熱風が作用する部分のみ乾燥が進み、乾燥状態を均一に仕上げることが困難であったが、上記のように構成することにより湿度を高められ、高温，高湿度の空気を供給することができるから、高湿度で除水力を抑制しつつ穀温を上げて内部水分移動を促進する。よって、水分バラツキの少ない乾燥状態に仕上げることができる。
【００１８】
なお、上記乾燥はあらかじめ設定した乾燥時間の経過によって終了するものとしている。
【図面の簡単な説明】
【図１】                  全体斜視図である。
【図２】                  一部断面した全体側面図である。
【図３】                  循環型乾燥機の正断面図である。
【図４】                  その平断面図である。
【図５】                  操作版正面図である。
【図６】                  制御ブロック図である。
【符号の説明】
１…穀粒乾燥機、２…貯留タンク、３…乾燥室、４…集穀室、５…昇降機、６…バーナ、７…吸引ファン、８…熱風室、９…穀粒通路、１０…排風室、１１…排風風胴、１２…繰出バルブ、１３…下部移送螺旋、１４…上部移送螺旋、１５…拡散盤、１６…操作盤、１７，１８，１９，２０…作業モードスイッチ、２１…乾燥設定スイッチ２１、２２…設定水分スイッチ、２３…張込量設定スイッチ、２４，２５…増・減スイッチ、２６…緊急停止スイッチ、２８…演算制御部、２９…水分計、３０…穀粒流れ検出器、３１…熱風温度検出器、３２…排風温度検出器、３３…表示部、３５…平型乾燥機、３６…目抜き網、３７…下部空間、３８…排風ダクト、３９…上部空間、４０…メッシュネット、４１…ネット受け用骨材、４２…レール、４３…還元ダクト
【図１】
0004168571.tif 000002
【図２】
0004168571.tif 000003
【図３】
0004168571.tif 000004
【図４】
0004168571.tif 000005
【図５】
0004168571.tif 000006
【図６】
0004168571.tif 000007